(57)【要約】【課題】  流出部に抗菌性を持たせるとともに、この流出部における飲料用水の流れがスムースとなるコック装置を提供すること。【解決手段】  飲料用水を収容する収容容器からの飲料用水の供給、供給停止を行うためのコック装置。このコック装置は、飲料用水が流出する流出部２０を有するコック本体１６と、コック本体１６を通してその流出部２０まで延びる送給流路２２と、コック本体１６に装着された弁体２４と、流出部２０内に装着された抗菌性スリーブ３２とを備えている。抗菌性スリーブ３２の内周面には、周方向に間隔をおいて複数の整流突部が設けられ、複数の整流突部は径方向内方に突出し、それらの突出量は、抗菌性スリーブ３２の内径の０．１〜０．３倍である。【選択図】  図２
0003140317.tif 000002
【実用新案登録請求の範囲】
【請求項１】
飲料用水を収容する収容容器からの飲料用水の供給、供給停止を行うためのコック装置において、
飲料用水が流出する流出部を有するコック本体と、前記コック本体を通してその流出部まで延びる送給流路と、前記コック本体に装着され、前記送給流路を開閉するための弁体と、前記流出部内に装着された抗菌性スリーブとを備え、
前記抗菌性スリーブの内周面には、周方向に間隔をおいて複数の整流突部が設けられ、前記複数の整流突部は径方向内方に突出し、それらの突出量は、前記抗菌性スリーブの内径の０．１〜０．３倍であることを特徴とするコック装置。
【請求項２】
前記複数の整流突部の突出量は、前記抗菌性スリーブの内径の０．１５〜０．２倍であることを特徴とする請求項１に記載のコック装置。
【請求項３】
前記複数の整流突部の突出量は１．０〜２．０ｍｍであることを特徴とする請求項１又は２に記載のコック装置。
【請求項４】
前記複数の整流突部の横断面形状は矩形状であり、その先端両角部が弧状に形成されていることを特徴とする請求項１〜３のいずれかに記載のコック装置。
【請求項５】
前記抗菌性スリーブには、周方向に等間隔をおいて４つの整流突部が設けられていることを特徴とする請求項１〜４のいずれかに記載のコック装置。
【考案の詳細な説明】
【技術分野】
【０００１】
本考案は、飲料用水を収容する収容容器からの飲料用水の供給、供給停止を行うためのコック装置に関する。
【背景技術】
【０００２】
飲料用水を衛生的に保つための抗菌性キャップを備えたコック装置が提案されている（例えば、特許文献１参照）。このコック装置は、コック本体の流出部に装着された抗菌性キャップを備え、この抗菌性キャップは、流出部に取り付けられるキャップ本体と、このキャップ本体に装着されるカートリッジとを備え、キャップ本体及びカートリッジは抗菌剤を練り込んだ合成樹脂から形成される。また、カートリッジには抗菌剤充填凹部が設けられ、この抗菌剤充填凹部にワサビ、カテキンなどの抗菌剤が充填され、かかる抗菌剤が流出部内に付着した水に接触するように構成されている。
【０００３】
このような抗菌性キャップを備えたコック装置では、キャップ本体及びカートリッジが抗菌性を有し、またカートリッジに充填された抗菌剤が水に接触するので、これらの抗菌作用によってコック装置の流出部を衛生的に保つことができる。
【０００４】
【特許文献１】特開２００１−１６４６１９号公報
【考案の開示】
【考案が解決しようとする課題】
【０００５】
しかしながら、上述したコック装置では、カートリッジの流出開口に十字状の仕切り板が設けられており、それ故に、この仕切り板が流出する水の抵抗となって水の流れが悪くなるとともに、流出する水が仕切り板に当たって周囲に飛散するおそれがある。
【０００６】
本考案の目的は、流出部に抗菌性を持たせるとともに、この流出部における飲料用水の流れがスムースとなるコック装置を提供することである。
【課題を解決するための手段】
【０００７】
本考案の請求項１に記載のコック装置は、飲料用水を収容する収容容器からの飲料用水の供給、供給停止を行うためのコック装置において、
飲料用水が流出する流出部を有するコック本体と、前記コック本体を通してその流出部まで延びる送給流路と、前記コック本体に装着され、前記送給流路を開閉するための弁体と、前記流出部内に装着された抗菌性スリーブとを備え、
前記抗菌性スリーブの内周面には、周方向に間隔をおいて複数の整流突部が設けられ、前記複数の整流突部は径方向内方に突出し、それらの突出量は、前記抗菌性スリーブの内径の０．１〜０．３倍であることを特徴とする。
【０００８】
また、本考案の請求項２に記載のコック装置では、前記複数の整流突部の突出量は、前記抗菌性スリーブの内径の０．１５〜０．２倍であることを特徴とする。
また、本考案の請求項３に記載のコック装置では、前記複数の整流突部の突出量は１．０〜２．０ｍｍであることを特徴とする。
【０００９】
また、本考案の請求項４に記載のコック装置では、前記複数の整流突部の横断面形状は矩形状であり、その先端両角部が弧状に形成されていることを特徴とする。
更に、本考案の請求項５に記載のコック装置では、前記抗菌性スリーブには、周方向に等間隔をおいて４つの整流突部が設けられていることを特徴とする。
【考案の効果】
【００１０】
本考案の請求項１に記載のコック装置によれば、コック本体の流出部内に抗菌性スリーブが装着されるので、流出部の内周面に抗菌性を持たせることができ、これによって、コック装置を閉状態にしたときに流出部の内周面に付着した水での雑菌の繁殖を抑制することができる。また、抗菌性スリーブの内周面に複数の整流突部が設けられ、これら整流突部の突出量は、抗菌性スリーブの内径の０．１〜０．３倍であるので、整流突部が抗菌性スリーブの開口を大きく塞ぐことがなく、抗菌性スリーブでの飲料用水の流れがスムースとなり、飲料用水の流出時の周囲への飛散を防止することができる。
【００１１】
また、本考案の請求項２に記載のコック装置によれば、整流突部の突出量は、抗菌性スリーブの内径の０．１５〜０．２倍であるので、抗菌性スリーブでの飲料用水の流れがよりスムースとなり、飲料用水の周囲への飛散を効果的に防止することができる。
【００１２】
また、本考案の請求項３に記載のコック装置によれば、複数の整流突部の突出量は１．０〜２．０ｍｍであるので、小型のコック装置に好都合に適用し、流出部に抗菌性を持たせることができるとともに、飲料用水の流出時の周囲への飛散を防止することができる。
【００１３】
また、本考案の請求項４に記載のコック装置によれば、複数の整流突部の横断面形状は矩形状であり、その先端両角部が弧状に形成されているので、これら整流突部の先端部における飲料用水の流れがよりスムースとなる。
【００１４】
更に、本考案の請求項５に記載のコック装置によれば、整流突部が周方向に等間隔をおいて４つ設けられているので、整流突部が所定軸及びこの所定軸に対して垂直な軸を基準に対称に配置され、これにより、抗菌性スリーブにおける飲料用水の流れがより一層スムースとなり、飲料用水の周囲への飛散を更に効果的に防止することができる。
【考案を実施するための最良の形態】
【００１５】
以下、添付図面を参照して、本考案に従うコック装置の一実施形態について説明する。図１は、一実施形態のコック装置を適用した水サーバ装置を示す正面図であり、図２は、図１の水サーバ装置のコック装置を一部断面で示す断面図であり、図３は、図２のコック装置に内蔵された抗菌性スリーブを示す斜視図であり、図４は、図３の抗菌性スリーブを示す平面図である。
【００１６】
図１において、図示の水サーバ装置は、床などに設置されるサーバ本体２を備え、このサーバ本体２の上部に収容容器４が交換可能に取り付けられる。収容容器４は例えば合成樹脂製タンクから構成される。この収容容器４内には飲料用水が収容され、その開口部を下にしてサーバ本体２に取り付けられる。
【００１７】
このサーバ本体２の前面には凹部６が設けられ、この凹部６の上部に一対のコック装置８，１０が設けられている。この凹部６の下面１２（図１において下側面）は受面として機能し、飲料用水を飲むときに使用するコップ１４が（例えば、紙コップ）載置され、コック装置８（又は１０）から流出される飲料用水がコップ１４内に流入される。
【００１８】
コック装置８，１０は実質上同一の構成であり、次にコック装置８（１０）について説明する。主として図２を参照して、コック装置８（１０）はコック本体１６を備え、このコック本体１６は例えば合成樹脂から形成される。このコック本体１６はその一端側に接続部１８を有し、その他端側に流出部２０を有している。このコック本体１６を通して送給流路２２が設けられ、送給流路２２は接続部１８から流出部２０まで延びている。接続部１８はサーバ本体２の接続開口部（図示せず）に接続され、収容容器４からの飲料用水がコック装置８（１０）の送給流路２２に供給される。
【００１９】
コック装置８（１０）の略中央部には、送給流路２２を開閉するための弁体２４が装着されている。弁体２４は、コック本体１６に装着される弁部２６と、この弁部２６の上端部に取り付けられた操作部２８とを有し、弁部２６に貫通流路２６が設けられている。このように構成されているので、操作部２８を開操作して所定方向に回動すると、図２に示すように、弁部２６の貫通流路２６が送給流路２２と整合して連通し（弁体２４が開状態となる）、収容容器４からの飲料用水がコック装置８（１０）の送給流路２２及び弁体２４の貫通流路２６を通して流れ、その流出部２０から流出される。また、操作部２８を閉操作して所定方向と反対方向に回動すると、弁部２６の貫通流路２６が送給流路２２から外れて送給流路２２との連通が解除され（弁体２４が閉状態となる）、収容容器４からの飲料用水がコック装置８（１０）の送給流路２２を通して流れることはない。
【００２０】
このコック装置８（１０）においては、コック本体１６の流出部２０内に抗菌性スリーブ３２が内蔵されている。図３及び図４を参照して、この抗菌性スリーブ３２は、抗菌性を持たせるための表面処理を施すことによって形成することができ、例えばアルミニウム又はアルミニウム合金から形成されたものに特開２００２−４７５９６号公報に開示された表面処理を施すことによって形成することができる。このように抗菌作用を有する抗菌性スリーブ３２をコック装置８（１０）の流出部２０内に挿入することによって、コック装置８（１０）の流出部２０に抗菌作用を持たせることができ、飲料用水の流出を止めたときに流出部２０の内周面に付着した水における雑菌の繁殖を抑え、コック装置８（１０）の流出部２０を衛生的に安全な状態に保つことができる。
【００２１】
この抗菌性スリーブ３２はリング状のスリーブ本体３４を備え、このスリーブ本体３４に周方向に等間隔をおいて複数の整流突部３６が一体的に設けられている。複数の整流突部３６は横断面形状が矩形状で、スリーブ本体３４の一端から他端まで直線状に延びている。これら整流突部３６は、スリーブ本体３４の内周面から径方向内方に直線状に延び、これら整流突部３６を次のように構成することによって、コック装置８（１０）の流出部２０からの飲料用水がスムースな流れとなり、周囲への飛散を防止することができる。
【００２２】
整流突部３６は、図３及ぶ図４に示すように、スリーブ本体３４の周方向に等間隔をおいて４つ設けるのが好ましい。このように構成することによって、整流突部３６が図４において左右方向（図４において上下方向に延びる所定軸）及び上下方向（この所定軸に対して垂直な軸であって、図４において左右方向に延びる軸）に対称に配置され、これにより、これら整流突部３６が流出部２０からの飲料用水にほぼ均一に作用し、抗菌性スリーブにおける飲料用水の流れがスムースとなり、飲料用水の周囲への飛散を防止することができる。
【００２３】
また、これら整流突部３６の径方向内方への突出量Ｈは、スリーブ本体３４の内径Ｒの０．１〜０．３倍（０．１Ｒ≦Ｈ≦０．３Ｒ）であることが望ましい。このように構成することによって、整流突部３６が抗菌性スリーブ３２の開口を大きく塞ぐことなく、この開口の中央部に比較的大きな開口空間が存在し、従って、このような構成によっても、抗菌性スリーブでの飲料用水の流れがスムースとなり、飲料用水の流出時の周囲への飛散を防止することができる。これら整流突部３６の突出量Ｈは、スリーブ本体３４の内径Ｒの０．１５〜０．２倍（０．１５Ｒ≦Ｈ≦０．２Ｒ）であるのがより望ましく、このように構成することによってより整流効果を高めることができる。
【００２４】
これら整流突部３６は、水サーバ装置のコック装置８，１０に適用する場合に、その突出量Ｈを１．０〜２．０ｍｍに設定することが望ましく、このように構成することによって、収容容器４からの飲料用水の重力による水圧を考慮したものとなり、水サーバ装置のコック装置８，１０における飲料用水の流れをスムースなものとし、コック装置８，１０から流出する飲料用水を下方のコップ１４に飛散することなく流下させることができる。
【００２５】
また、これら整流突部３６は、その先端両角部３８を弧状に形成するのが望ましく、このように構成することによって、これら両角部３８が飲料用水の流れに鋭く作用することがなく、これによって、飲料用水の流れをスムースな流れとすることができる。尚、これら整流突部３６の基部４０、即ちスリーブ本体３４との接続部も弧状に形成するのが望ましく、このように構成することによって、飲料用水の流れをよりスムースにすることができる。
【００２６】
このような抗菌性スリーブ３２は、サーバ装置のコック装置８，１０に適用する場合、例えば、次の大きさに設定され、このような大きさに設定することによって、上述した所望の効果が達成される。
【００２７】
スリーブ本体
外径  ：  １１ｍｍ        内径  ：  ９ｍｍ            肉厚  ：  １ｍｍ
長さ  ：  １３ｍｍ
整流突部
個数  ：  ４個            横断面形状  ：  矩形状      幅  ：  １ｍｍ
突出量  ：  １．５ｍｍ
以上、本考案に従うコック装置の実施形態について説明したが、本考案はかかる実施形態に限定されず、本考案の範囲を逸脱することなく種々の変形乃至修正が可能である。
【図面の簡単な説明】
【００２８】
【図１】一実施形態のコック装置を適用した水サーバ装置を示す正面図。
【図２】図１の水サーバ装置のコック装置を一部断面で示す断面図。
【図３】図２のコック装置に内蔵された抗菌性スリーブを示す斜視図。
【図４】図３の抗菌性スリーブを示す平面図。
【符号の説明】
【００２９】
２  サーバ本体
４  収容容器
８，１０  コック装置
１６  コック本体
２０  流出部
２２  送給流路
２４  弁体
２６  弁部
３２  抗菌性スリーブ
３４  スリーブ本体
３６  整流突部
【図１】
0003140317.tif 000003
【図２】
0003140317.tif 000004
【図３】
0003140317.tif 000005
【図４】
0003140317.tif 000006